(57)【要約】【課題】配置・設置が限定されない対象物を揺動できる揺動器は流通していなかった。【解決手段】本発明は、対象物を磁力により揺動させるための揺動器であって、支持体と、前記支持体に設けた周回軸と、前記周回軸を中心に周回する磁石付きの周回体と、前記周回体を駆動する駆動源を備え、支持されている前記対象物が前記磁石の磁力に反応して、前記周回体が周回すると共に動くことを特徴とする揺動器であり、磁力と周回を併せて利用したことにより、構造を簡素化し、揺動による微小な動きを表示、観賞することを特徴とするものである。【選択図】  図４
2019069059.tif 000002
【特許請求の範囲】
【請求項１】
対象物を磁力により揺動させるための揺動器であって、支持体と、前記支持体に設けた周回軸と、前記周回軸を中心に周回する磁石付きの周回体と、前記周回体を駆動する駆動源を備え、前記対象物が前記磁石の磁力に反応して、前記周回体が周回すると共に動くことを特徴とする揺動器。
【請求項２】
前記磁石の磁力に反応して動く、回動軸で支持されている揺動体を備えた請求項1に記載の揺動器。
【請求項３】
前記揺動体と連動して回動する、視覚で認識可能な表示の付いた請求項２に記載の揺動器。
【請求項４】
投射対象に回転力と磁力を利用して光を映し出す揺動器であって、上部に無数の穴を設けており、支持体と、前記支持体に設けた周回軸と、前記周回軸を中心に周回する磁石付きの周回体と、前記周回体を駆動する駆動源を備え、前記周回体の上方に吊るされて支持されている磁石を備え付けた光源と、前記周回体の下方に回動軸で支持されている磁石付の揺動体が、前記周回体の周回により、前記周回体に備えた光源が周回し、前記周回体の磁石と前記光源の磁石が反応して前記光源が動き、前記周回体の磁石と前記揺動体の磁石が反応して前記揺動体も動くと共に、前記揺動体に備えた振り子が連動して動く、本体上部の前記無数の穴から前記光源の光が揺れながら投射対象物映し出されることを特徴とする揺動器。
【発明の詳細な説明】
【技術分野】
【０００１】
本発明は、揺動器に関する。
【背景技術】
【０００２】
従来の揺動器は一定に支持されものを揺動させるものであった。光を投射して揺動するものとして、モータの駆動を使って光源を動かしながら床面等に投射し形成される光点が複雑に移動する愛玩動物用玩具は公開済みのものもある（特許文献１参照）
【先行技術文献】
【特許文献】
【０００３】
【特許文献１】特開２００８−１６１１７２号公報
【発明の概要】
【発明が解決しようとする課題】
【０００４】
配置・設置が限定されない対象物を揺動できる揺動器は流通していなかった。（特許文献１参照）。
【０００５】
本発明は、揺動による微小な動きを表示、観賞することを目的とするものである。
【課題を解決するための手段】
【０００６】
請求項1に記載の発明は、対象物を磁力により揺動させるための視覚で認識可能な揺動器であって、支持体と、前記支持体に設けた周回軸と、前記周回軸を中心に周回する磁石付きの周回体と、前記周回体を駆動する駆動源を備え、前記対象物が前記磁石の磁力に反応して、前記周回体が周回すると共に動くことを特徴とする揺動器。
本発明における対象物は、配置、設置が限定されない対象物であり、支持方法は例えば吊るすなど、それぞれの配置、設置によって異なる。また、本発明における周回は、回転、回動を含んだものである。本発明の用途として、観賞用、業種や特徴を視覚に訴える表示器具などが挙げられる。
【０００７】
請求項２に記載の発明は、前記磁石の磁力に反応して動く、回動軸で支持されている揺動体を備えた請求項1に記載の揺動器。
【０００８】
請求項３に記載の発明は、前記揺動体と連動して回動する、視覚で認識可能な表示の付いた請求項２に記載の揺動器。
【０００９】
請求項４に記載の発明は、投射対象に回転力と磁力を利用して光を映し出す揺動器であって、上部に無数の穴を設けており、支持体と、前記支持体に設けた周回軸と、前記周回軸を中心に周回する磁石付きの周回体と、前記周回体を駆動する駆動源を備え、前記周回体の上方に吊るされて支持されている磁石を備え付けた光源と、前記周回体の下方に回動軸で支持されている磁石付の揺動体が、前記周回体の周回により、前記周回体に備えた光源が周回し、前記周回体の磁石と前記光源の磁石が反応して前記光源が動き、前記周回体の磁石と前記揺動体の磁石が反応して前記揺動体も動くと共に、前記揺動体に備えた振り子が連動して動く、本体上部の前記無数の穴から前記光源の光が揺れながら投射対象に映し出されることを特徴とする揺動器。
【発明の効果】
【００１０】
上述したように本発明の揺動器は、磁力と周回を併せた簡素な構造で、低コストで作ることができる。また、配置・設置が限定されない対象物を揺動させることができるので、様々な対象物の活用も可能である。本発明請求項４においては、眼の疲れを癒しながら楽しめる就寝時の導入具として利用でき、更にその他の表示器具としての活用も期待できる。
【図面の簡単な説明】
【００１１】
【図１】本発明請求項1の揺動器の正面図。
【図２】本発明請求項２の揺動器の正面図。
【図３】本発明請求項３の揺動器の正面図。
【図４】本発明請求項４の実施例形態を示す揺動器の正面図。
【図５】本発明請求項４の実施例形態を示す揺動器のＡ断面図。
【図６】本発明請求項４の実施例形態を示す揺動器のＢ断面図。
【図７】本発明請求項４の実施例形態を示す揺動器のＣ断面図。
【図８】本発明請求項４の実施例形態を示す揺動器の斜視図（被覆部含む）。
【００１２】
以下、本発明を図１〜図８に基づいて説明する。
図１は、支持体に設けた周回軸１と、周回軸１を中心に周回する磁石９ｂ付きの周回体５と、周回体５を駆動する駆動源４を備え、支持されている対象物２が磁石９ｂの磁力に反応して、周回体５が周回すると共に動く、請求項１の実施例形態を示す正面図である。
対象物２は、配置・設置が限定されない対象物であり、支持方法もそれぞれの配置・設置によって異なった支持により存する。駆動源４はモータなどに代用することもできる。
【００１３】
図２は、支持体に設けた周回軸１と、周回軸１を中心に周回する磁石９ｂ付きの周回体５と、周回体５を駆動する駆動源４を備え、支持されている対象物２が磁石９ｂの磁力に反応して、周回体５が周回すると共に動き、周回体５の磁石９ｂの磁力に反応して動く回動軸８で支持されている揺動体７を備えた請求項２の実施例形態を示す正面図である。対象物２は、配置・設置が限定されない対象物であり、支持方法もそれぞれの配置・設置によって異なった支持により存する。駆動源４はモータなどに代用することもできる。
【００１４】
図３は、支持体に設けた周回軸１と、周回軸１を中心に周回する磁石９ｂ付きの周回体５と、周回体５を駆動する駆動源４を備え、支持されている対象物２が磁石９ｂの磁力に反応して、周回体５が周回すると共に動き、揺動体７に連動して回動する、視覚で認識可能な表示１５を備えた請求項３の実施例形態を示す正面図である。対象物２は、配置・設置が限定されない対象物であり、支持方法もそれぞれの配置・設置によって異なった支持により存する。駆動源４はモータなどに代用することもできる。
【００１５】
図４は、支持体１３に、弾性体６の回転により巻き戻るときの回転力を利用して周回体５を駆動する駆動部分を中心に、上方に磁石９ａが備え付けられた光源３が取り付けられたおり、下方に磁石９ｃを備え付けてある振り子を伴った揺動体７があり、周回体５が周回すると共に磁石９ｂの磁力に反応して動きが加わり、周回体５端部と周回体５上方に備え付けられた光源３から投射された光が本体上部の無数の穴から漏れる様子の請求項４の実施例形態を示す正面図である。この図における弾性体６は、請求項４の周回体５を駆動する駆動源の実施例として挙げている。また、請求項３の揺動体７と連動して回動する視覚で認識可能な表示１５を、２重の振り子１４と装飾部１２として実施例を挙げている。更に請求項１の対象物２の実施例として、周回体５上方に備えた光源３を挙げている。  
【００１６】
図５は、支持体１３に、揺動器の駆動部分となる弾性体６の回転により巻き戻るときの回転力を利用して駆動する周回体５と、周回体５が周回すると共に動く光源３、装飾部１２の付いた２重の振り子１４を伴った揺動体７が、周回軸１を中心に縦に並んで取り付けられていることを示すＡ断面図である。
【００１７】
図６は、支持体１３に備えられた、揺動器の駆動部分となる弾性体６の回転により巻き戻るときの回転力を利用して駆動する周回体５と、周回体５が周回すると共に動く磁石９ａを伴った光源３が周回体1の上方と端部に配置されていることを示すＢ断面図である。
【００１８】
図７は、磁石９ｃを備え付けてある２重の振り子１４を伴った揺動体７が支持体１３の下に支持され、装飾部１２を付けた２重の振り子１４の上部は揺動体７と接着されている。揺動体７に備え付けた磁石９ｃと回転体５の磁石９ｂの反応による力が、装飾部１２を付けた２重の振り子１４へ伝わる、連動して動く２重の振り子１４が、回動軸８により揺動体７と共に支持されていることを示すＣ断面図である。
【００１９】
図８は、本発明光源３の光を上方へ投射させる為に、支持体１３の側面に被覆板１０を設け、周回体５を手で回し送る際の開口部１１を開けた状態の様子を示した、請求項４の実施形態を示す斜視図である。
【００２０】
本発明は、人工的な音を抑えた弾性体６を事例として利用しているが、その目的によっては周回の原動力をモータなどに代用することもできる。揺動対象についても、事例として光源３、揺動体７，２重の振り子１４としているが、揺動できる対象であればそれを排除するものではない。本体上部の無数に穴があいている部分は、脱着式または開閉式でも良い。また、２重の振り子１４を上部下部に分けず、揺動体７と一体化させたもの、または、揺動体７と一体化、接着させずに、２重振り子そのものの構造として連動するものでも良い。
【００２１】
本発明請求項４は、駆動源としての弾性体６を備えた周回体５を手で回し送ることで、投射された光の揺動を観賞ができる。光源３にソーラーライトを利用することで、環境に優しく眼にも優しい揺動器になる。癒しを更に向上させる為に、好みのオルゴールなどを併せて設置するなどオプションを追加することで、より一層の和みを提供する器具として利用できる。
【符号の説明】
【００２２】
１    周回軸
２    対象物
３    光源
４    駆動源
５    周回体
６    弾性体
７    揺動体
８    回動軸
９a    磁石
９b    磁石
９c    磁石
１０  被覆板
１１  開口部
１２  装飾部
１３  支持体
１４  ２重の振り子
１５  視覚で認識可能な表示
【図１】
2019069059.tif 000003
【図２】
2019069059.tif 000004
【図３】
2019069059.tif 000005
【図４】
2019069059.tif 000006
【図５】
2019069059.tif 000007
【図６】
2019069059.tif 000008
【図７】
2019069059.tif 000009
【図８】
2019069059.tif 000010
【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
対象物と回動軸で支持されている揺動体を、磁力により揺動させるための揺動器であって、支持体と、前記支持体に設けた周回軸と、前記周回軸を中心に周回する磁石付きの周回体と、前記周回体を駆動する駆動源を備え、前記対象物と前記揺動体が前記磁石の磁力に反応して、前記周回体が周回すると共に動く、上方の前記対象物、前記周回体及び下方の前記揺動体が縦に並んで取り付けられていることを特徴とする揺動器。
【請求項２】
投射対象に回転力と磁力を利用して光を映し出す揺動器であって、上部に無数の穴を設けており、支持体と、前記支持体に設けた周回軸と、前記周回軸を中心に周回する磁石付きの周回体と、前記周回体を駆動する駆動源を備え、前記周回体の上方に吊るされて支持されている磁石を備え付けた光源と、前記周回体の下方に回動軸で支持されている磁石付の揺動体が、前記周回体の周回により、前記周回体の磁石と前記光源の磁石が反応して前記光源が動き、前記周回体の磁石と前記揺動体の磁石が反応して前記揺動体も動くと共に、前記揺動体に備えた振り子が連動して動く、本体上部の前記無数の穴から前記光源の光が揺れながら投射対象に映し出されることを特徴とする揺動器。
【手続補正２】
【補正対象書類名】明細書
【補正対象項目名】全文
【補正方法】変更
【補正の内容】
【発明の詳細な説明】
【技術分野】
【０００１】
本発明は、揺動器に関する。
【背景技術】
【０００２】
従来の揺動器は一定に支持されたものを揺動させるものであった。光を投射して揺動するものとして、モータの駆動を使って光源を動かしながら床面等に投射し形成される光点が複雑に移動する愛玩動物用玩具が公開されている（特許文献１参照）
【先行技術文献】
【特許文献】
【０００３】
【特許文献１】特開２００８−１６１１７２号公報
【発明の概要】
【発明が解決しようとする課題】
【０００４】
配置・設置が限定されない対象物を揺動できる揺動器は流通していなかった（特許文献１参照）。
【０００５】
本発明は、揺動による微小な動きを表示、鑑賞することを目的とするものである。
【課題を解決するための手段】
【０００６】
請求項1に記載の発明（以下、「本発明１」という。）は、対象物と回動軸で支持されている揺動体を、磁力により揺動させるための揺動器であって、支持体と、前記支持体に設けた周回軸と、前記周回軸を中心に周回する磁石付きの周回体と、前記周回体を駆動する駆動源を備え、前記対象物と前記揺動体が前記磁石の磁力に反応して、前記周回体が周回すると共に動く、上方の前記対象物、前記周回体及び下方の前記揺動体が縦に並んで取り付けられていることを特徴とする揺動器である。
本発明１における対象物は、配置、設置が限定されない対象物であり、支持方法は例えば吊るすなど、それぞれの配置、設置によって異なる。また、本発明１における周回は、回転、回動を含んだものである。本発明１の用途として、鑑賞用、業種や特徴を視覚に訴える表示器具などが挙げられる。
【０００７】
請求項２に記載の発明（以下、「本発明２」という。）は、投射対象に回転力と磁力を利用して光を映し出す揺動器であって、上部に無数の穴を設けており、支持体と、前記支持体に設けた周回軸と、前記周回軸を中心に周回する磁石付きの周回体と、前記周回体を駆動する駆動源を備え、前記周回体の上方に吊るされて支持されている磁石を備え付けた光源と、前記周回体の下方に回動軸で支持されている磁石付の揺動体が、前記周回体の周回により、前記周回体の磁石と前記光源の磁石が反応して前記光源が動き、前記周回体の磁石と前記揺動体の磁石が反応して前記揺動体も動くと共に、前記揺動体に備えた振り子が連動して動く、本体上部の前記無数の穴から前記光源の光が揺れながら投射対象に映し出されることを特徴とする揺動器である。
【発明の効果】
【０００８】
上述したように本発明１の揺動器は、磁力と周回を併せた簡素な構造で、低コストで作ることができる。また、配置・設置が限定されない対象物を揺動させることができるので、様々な対象物の活用も可能である。本発明２の揺動器は、眼の疲れを癒しながら楽しめる就寝時の導入具として利用でき、更にその他の表示器具としての活用も期待できる。
【図面の簡単な説明】
【０００９】
【図１】本発明1の実施例の形態を示す揺動器の正面図。
【図２】本発明２の実施例の形態を示す揺動器の正面図。
【図３】本発明２の実施例の形態を示す揺動器のＡ断面図。
【図４】本発明２の実施例の形態を示す揺動器のＢ断面図。
【図５】本発明２の実施例の形態を示す揺動器のＣ断面図。
【図６】本発明２の実施例の形態を示す揺動器の斜視図（被覆部含む）。
【発明を実施するための形態】
【００１０】
以下、本発明を図１〜図６に基づいて説明する。
図１は、支持体１３に設けた周回軸１と、周回軸１を中心に周回する磁石９ｂ付きの周回体５と、周回体５を駆動する駆動源４を備え、支持されている対象物２が磁石９ｂの磁力に反応して、周回体５が周回すると共に動き、周回体５の磁石９ｂの磁力に反応して動く回動軸８で支持されている揺動体７を備えた本発明１の実施例形態を示す正面図である。対象物２は、配置・設置が限定されない対象物であり、支持方法もそれぞれの配置・設置によって異なった支持により存する。駆動源４はモータなどに代用することもできる。
【００１１】
図２は、支持体１３に、弾性体６の回転により巻き戻るときの回転力を利用して周回体５を駆動する駆動部分を中心に、上方に磁石９ａが備え付けられた光源３が取り付けられており、下方に磁石９ｃを備え付けてある振り子を伴った揺動体７があり、周回体５が周回すると共に磁石９ｂの磁力に反応して動きが加わり、周回体５上方に備え付けられた光源３から投射された光が本体上部の無数の穴から漏れる様子の本発明２の実施例形態を示す正面図である。この図における弾性体６は、本発明２において周回体５を駆動する駆動源の実施例として挙げている。また、揺動体７と連動して回動する視覚で認識可能な表示として２重の振り子１４と装飾部１２の実施例を挙げている。更に本発明２において対象物２の実施例として、周回体５上方に備えた光源３を挙げている。
【００１２】
図３は、支持体１３に、揺動器の駆動部分となる弾性体６の回転により巻き戻るときの回転力を利用して駆動する周回体５と、周回体５が周回すると共に動く光源３、装飾部１２の付いた２重の振り子１４を伴った揺動体７が、周回軸１を中心に光源３(対象物)、周回体５、揺動体７が縦に並んで取り付けられていることを示すＡ断面図である。  
【００１３】
図４は、支持体１３に備えられた、揺動器の駆動部分となる弾性体６の回転により巻き戻るときの回転力を利用して駆動する周回体５と、周回体５が周回すると共に動く磁石９ａを伴った光源３が周回体1の上方に配置されていることを示すＢ断面図である。
【００１４】
図５は、磁石９ｃを備え付けてある２重の振り子１４を伴った揺動体７が支持体１３の下に支持され、装飾部１２を付けた２重の振り子１４の上部は揺動体７と接着されている。揺動体７に備え付けた磁石９ｃと回転体５の磁石９ｂの反応による力が、装飾部１２を付けた２重の振り子１４へ伝わる、連動して動く２重の振り子１４が、回動軸８により揺動体７と共に支持されていることを示すＣ断面図である。
【００１５】
図６は、本発明光源３の光を上方へ投射させる為に、支持体１３の側面に被覆板１０を設け、周回体５を手で回し送る際の開口部１１を開けた状態の様子を示した、本発明２の実施形態を示す斜視図である。
【００１６】
本発明２は、人工的な音を抑えた弾性体６を事例として利用しているが、その目的によっては周回の原動力をモータなどに代用することもできる。揺動対象についても、事例として光源３、揺動体７，２重の振り子１４としているが、揺動できる対象であればそれを排除するものではない。本体上部の無数に穴があいている部分は、脱着式または開閉式でも良い。また、２重の振り子１４を上部下部に分けず、揺動体７と一体化させたもの、または、揺動体７と一体化、接着させずに、２重振り子そのものの構造として連動するものでも良い。
【００１７】
本発明２は、駆動源としての弾性体６を備えた周回体５を手で回し送ることで、投射された光の揺動を観賞ができる。光源３にソーラーライトを利用することで、環境に優しく眼にも優しい揺動器になる。癒しを更に向上させる為に、好みのオルゴールなどを併せて設置するなどオプションを追加することで、より一層の和みを提供する器具として利用できる。
【符号の説明】
【００１８】
１    周回軸
２    対象物
３     光源
４    駆動源
５    周回体
６    弾性体
７    揺動体
８    回動軸
９a    磁石
９b    磁石
９c    磁石
１０  被覆板
１１  開口部
１２  装飾部
１３  支持体
１４  ２重の振り子
【手続補正３】
【補正対象書類名】図面
【補正対象項目名】全図
【補正方法】変更
【補正の内容】
【図１】
2019069059.tif 000011
【図２】
2019069059.tif 000012
【図３】
2019069059.tif 000013
【図４】
2019069059.tif 000014
【図５】
2019069059.tif 000015
【図６】
2019069059.tif 000016
【手続補正書】
【提出日】平成30年7月2日(2018.7.2)
【手続補正１】
【補正対象書類名】特許請求の範囲
【補正対象項目名】全文
【補正方法】変更
【補正の内容】
【特許請求の範囲】
【請求項１】
投射対象に回転力と磁力を利用して光を映し出す揺動器であって、上部に無数の穴を設けており、支持体と、前記支持体に設けた周回軸と、前記周回軸を中心に周回する磁石付きの周回体と、前記周回体を駆動する駆動源を備え、前記周回体の上方に吊るされて支持されている磁石を備え付けた光源と、前記周回体の下方に回動軸で支持されている磁石付の揺動体が、前記周回体の周回により、前記周回体の磁石と前記光源の磁石が反応して前記光源が動き、前記周回体の磁石と前記揺動体の磁石が反応して前記揺動体も動くと共に、前記揺動体に備えた振り子が連動して動く、本体上部の前記無数の穴から前記光源の光が揺れながら投射対象に映し出されることを特徴とする揺動器。
【手続補正２】
【補正対象書類名】明細書
【補正対象項目名】全文
【補正方法】変更
【補正の内容】
【発明の詳細な説明】
【技術分野】
【０００１】
本発明は、揺動器に関する。
【背景技術】
【０００２】
従来の揺動器は一定に支持されたものを揺動させるものであった。光を投射して揺動するものとして、モータの駆動を使って光源を動かしながら床面等に投射し形成される光点が複雑に移動する愛玩動物用玩具が公開されている（特許文献１参照）。
【先行技術文献】
【特許文献】
【０００３】
【特許文献１】特開２００８−１６１１７２号公報
【発明の概要】
【発明が解決しようとする課題】
【０００４】
配置・設置が限定されない対象物を揺動できる揺動器は流通していなかった（特許文献１参照）。
【０００５】
本発明は、揺動による微小な動きを表示、鑑賞することを目的とするものである。
【課題を解決するための手段】
【０００６】
本発明の礎となった発明（以下、「基礎発明」という。）は、対象物と回動軸で支持されている揺動体を、磁力により揺動させるための揺動器であって、支持体と、前記支持体に設けた周回軸と、前記周回軸を中心に周回する磁石付きの周回体と、前記周回体を駆動する駆動源を備え、前記対象物と前記揺動体が前記磁石の磁力に反応して、前記周回体が周回すると共に動く、上方の前記対象物、前記周回体及び下方の前記揺動体が縦に並んで取り付けられていることを特徴とする揺動器である。
ここで、対象物は、配置、設置が限定されない対象物であり、支持方法は例えば吊るすなど、それぞれの配置、設置によって異なる。また、周回は、回転、回動を含んだものである。用途として、鑑賞用、業種や特徴を視覚に訴える表示器具などが挙げられる。
【０００７】
本発明は、投射対象に回転力と磁力を利用して光を映し出す揺動器であって、上部に無数の穴を設けており、支持体と、前記支持体に設けた周回軸と、前記周回軸を中心に周回する磁石付きの周回体と、前記周回体を駆動する駆動源を備え、前記周回体の上方に吊るされて支持されている磁石を備え付けた光源と、前記周回体の下方に回動軸で支持されている磁石付の揺動体が、前記周回体の周回により、前記周回体の磁石と前記光源の磁石が反応して前記光源が動き、前記周回体の磁石と前記揺動体の磁石が反応して前記揺動体も動くと共に、前記揺動体に備えた振り子が連動して動く、本体上部の前記無数の穴から前記光源の光が揺れながら投射対象に映し出されることを特徴とする揺動器である。
【発明の効果】
【０００８】
上述したように本発明の揺動器は、磁力と周回を併せた簡素な構造で、低コストで作ることができる。また、配置・設置が限定されない対象物を揺動させることができるので、様々な対象物の活用も可能である。本発明の揺動器は、眼の疲れを癒しながら楽しめる就寝時の導入具として利用でき、更にその他の表示器具としての活用も期待できる。
【図面の簡単な説明】
【０００９】
【図１】基礎発明の実施例形態を示す揺動器の正面図。
【図２】本発明の実施例形態を示す揺動器の正面図。
【図３】本発明の実施例形態を示す揺動器のＡ断面図。
【図４】本発明の実施例形態を示す揺動器のＢ断面図。
【図５】本発明の実施例形態を示す揺動器のＣ断面図。
【図６】本発明の実施例形態を示す揺動器の斜視図（被覆部含む）。
【発明を実施するための形態】
【００１０】
以下、本発明を図１〜図６に基づいて説明する。
図１は、支持体１３に設けた周回軸１と、周回軸１を中心に周回する磁石９ｂ付きの周回体５と、周回体５を駆動する駆動源４を備え、支持されている対象物２が磁石９ｂの磁力に反応して、周回体５が周回すると共に動き、周回体５の磁石９ｂの磁力に反応して動く回動軸８で支持されている揺動体７を備えた基礎発明の実施例形態を示す正面図である。対象物２は、配置・設置が限定されない対象物であり、支持方法もそれぞれの配置・設置によって異なった支持により存する。駆動源４はモータなどに代用することもできる。
【００１１】
図２は、支持体１３に、弾性体６の回転により巻き戻るときの回転力を利用して周回体５を駆動する駆動部分を中心に、上方に磁石９ａが備え付けられた光源３が取り付けられており、下方に磁石９ｃを備え付けてある振り子を伴った揺動体７があり、周回体５が周回すると共に磁石９ｂの磁力に反応して動きが加わり、周回体５上方に備え付けられた光源３から投射された光が本体上部の無数の穴から漏れる様子の本発明の実施例形態を示す正面図である。この図における弾性体６は、本発明において周回体５を駆動する駆動源の実施例として挙げている。また、揺動体７と連動して回動する視覚で認識可能な表示として２重の振り子１４と装飾部１２の実施例を挙げている。更に本発明において対象物２の実施例として、周回体５上方に備えた光源３を挙げている。
【００１２】
図３は、支持体１３に、揺動器の駆動部分となる弾性体６の回転により巻き戻るときの回転力を利用して駆動する周回体５と、周回体５が周回すると共に動く光源３、装飾部１２の付いた２重の振り子１４を伴った揺動体７が、周回軸１を中心に光源３(対象物)、周回体５、揺動体７が縦に並んで取り付けられていることを示すＡ断面図である。                                                                  
【００１３】
図４は、支持体１３に備えられた、揺動器の駆動部分となる弾性体６の回転により巻き戻るときの回転力を利用して駆動する周回体５と、周回体５が周回すると共に動く磁石９ａを伴った光源３が周回体1の上方に配置されていることを示すＢ断面図である。
【００１４】
図５は、磁石９ｃを備え付けてある２重の振り子１４を伴った揺動体７が支持体１３の下に支持され、装飾部１２を付けた２重の振り子１４の上部は揺動体７と接着されている。揺動体７に備え付けた磁石９ｃと回転体５の磁石９ｂの反応による力が、装飾部１２を付けた２重の振り子１４へ伝わる、連動して動く２重の振り子１４が、回動軸８により揺動体７と共に支持されていることを示すＣ断面図である。
【００１５】
図６は、光源３の光を上方へ投射させる為に、支持体１３の側面に被覆板１０を設け、周回体５を手で回し送る際の開口部１１を開けた状態の様子を示した、本発明の実施例形態を示す斜視図である。
【００１６】
本発明は、人工的な音を抑えた弾性体６を事例として利用しているが、その目的によっては周回の原動力をモータなどに代用することもできる。揺動対象についても、事例として光源３、揺動体７，２重の振り子１４としているが、揺動できる対象であればそれを排除するものではない。本体上部の無数に穴があいている部分は、脱着式または開閉式でも良い。また、２重の振り子１４を上部下部に分けず、揺動体７と一体化させたもの、または、揺動体７と一体化、接着させずに、２重振り子そのものの構造として連動するものでも良い。
【００１７】
本発明は、駆動源としての弾性体６を備えた周回体５を手で回し送ることで、投射された光の揺動を観賞できる。光源３にソーラーライトを利用することで、環境に優しく眼にも優しい揺動器になる。癒しを更に向上させる為に、好みのオルゴールなどを併せて設置するなどオプションを追加することで、より一層の和みを提供する器具として利用できる。
【符号の説明】
【００１８】
１    周回軸
２    対象物
３     光源
４    駆動源
５    周回体
６    弾性体
７    揺動体
８    回動軸
９a    磁石
９b    磁石
９c    磁石
１０  被覆板
１１  開口部
１２  装飾部
１３  支持体
１４  ２重の振り子